(57)【要約】【課題】ポンプモータへの電源を開閉する半導体接点の放熱効果が大きく、また、ユニット内に放熱用のアルミケースを装着する必要がなく、コンパクトに構成し得る水位検出ユニットを提供する。【解決手段】制御基板３を収容したケース２の上端面よりアーム４を導出させてその導出端をポンプ上面への取付座５に形成し、ケース２の上端面からポンプ上面の電線引出口へ通じる貫孔７をアーム４に穿設し、ケース２内の制御基板３に半導体接点８を接続し、ケース２内において制御基板３と接続された電極棒９に半導体接点８を接合させ、電極棒９の下端部をケース２の下面より導出し、制御基板３からの引出線１０を貫孔７を通じてアーム４の導出端付近より導出させる。【選択図】        図３
2006057571.tif 000002
【特許請求の範囲】
【請求項１】
制御基板を収容したケースの上端面よりアームを導出させてその導出端をポンプ上面への取付座に形成し、ケースの上端面からポンプ上面の電線引出口へ通じる貫孔をアームに穿設し、ケース内に収容された制御基板に半導体接点を接続し、ケース内において制御基板と接続された電極棒に半導体接点を接合させ、電極棒の下端部をケースの下面より導出し、制御基板からの引出線をアームの貫孔を通じてその導出端付近より導出させたことを特徴とする、水中ポンプ用水位検出ユニット。
【請求項２】
ケース内において制御基板と接続された電極棒に半導体接点が面接触状態により接合されていることを特徴とする、請求項１記載の水中ポンプ用水位検出ユニット。
【発明の詳細な説明】
【技術分野】
【０００１】
本発明は、水中ポンプ用水位検出ユニットに関するものである。
【背景技術】
【０００２】
槽内水位の増減に伴い昇降するフロートを内装した套体の上端より取付用のアームを横出させ、前記フロートの昇降によりオン・オフ作動するリードスイッチと、ポンプモータへの電源電流を開閉するトライアックを、絶縁チューブで被覆された放熱アルミ管ケース内に収納させた状態で、前記取付用アーム内に装着してなる水中ポンプ用水位検出ユニットは公知である（例えば、特許文献１参照。）。
【０００３】
しかし、トライアックは開閉する電流により発熱する。そして、トライアックおよび放熱アルミ管ケースは取付用アーム内に密閉されていて、直接的にも間接的にも槽内水と接することができないので放熱効果が低い。また、取付用アーム内に大きな放熱用のアルミケースを装着するスペースを必要とするため、ユニット自体が大型化して、小型ポンプ用の水位検出ユニットには適さないものとなる。
【特許文献１】特開昭５７−１５６５２４号公報（第１図Ａ、第５図）
【発明の開示】
【発明が解決しようとする課題】
【０００４】
解決しようとする課題は、ポンプモータへの電源を開閉するトライアック等半導体接点の放熱効果が大きく、また、ユニット内に放熱用のアルミケースを装着する必要がなく、小型の水中ポンプにも装着し得るコンパクトな水位検出ユニットを提供することである。
【課題を解決するための手段】
【０００５】
本発明に係る水中ポンプ用水位検出ユニットは、制御基板を収容したケースの上端面よりアームを導出させてその導出端をポンプ上面への取付座に形成し、ケースの上端面からポンプ上面の電線引出口へ通じる貫孔をアームに穿設し、ケース内に収容された制御基板に半導体接点を接続し、ケース内において制御基板と接続された電極棒に半導体接点を接合させ、電極棒の下端部をケースの下面より導出し、制御基板からの引出線をアームの貫孔を通じてその導出端付近より導出させたことを最も主要な特徴とする。
【発明の効果】
【０００６】
本発明によれば、ケース内においてトライアック等半導体接点の接続された制御基板に電極棒が接続され、該電極棒の下端部をケースの下面より導下させて槽内水による水冷作用が行われるため、トライアック等半導体接点の放熱効果が高く、また、ユニット内に放熱用のアルミケースを装着する必要がないのでコンパクト且つ組立性を良好に構成することができ、小型ポンプ用の水位検出ユニットとしても適用し得るという利点がある。
【発明を実施するための最良の形態】
【０００７】
制御基板を収容したケースの上端面よりアームを導出させてその導出端をポンプ上面への取付座に形成し、ケースの上端面からポンプ上面の電線引出口へ通じる貫孔をアームに穿設し、ケース内に収容された制御基板に半導体接点を接続し、ケース内において制御基板と接続された電極棒に半導体接点を面接触状態により接合させ、電極棒の下端部をケースの下面より導出し、制御基板からの引出線をアームの貫孔を通じてその導出端付近より導出させる。
【実施例１】
【０００８】
実施例の図面において、１ａは水中ポンプ外胴、１ｂは水中ポンプ上面、２は制御基板３を収容したケース、４はケース２の上端面から導出されたアームであり、その導出端をポンプ上面１ｂへの取付座５に形成し、ケース２の上端面からポンプ上面１ｂの電線引出口６へ通じる貫孔７が穿設されている。ケース２内に収容された制御基板３には例えばトライアックのような半導体接点８を接続し、ケース２内において制御基板３と接続された電極棒９に半導体接点８を接合させ、電極棒９の下端部をケース２の下面より所要長さに導出し、制御基板３からの引出線１０をアーム４の貫孔７を通じてその導出端付近より導出させ、ケース２内の空隙部１１を絶縁性充填剤で密封する。なお、１２は取付座５の中心部に穿設された電源ケーブル挿通用竪孔、１３・・１３は取付座５の周辺部に穿設された取付ボルト挿通孔である。
【０００９】
非自動式の水中ポンプを自動式に変換させるについては、水中ポンプ上面１ｂの電線引出口６から導出されていた既設の電源ケーブル（図示せず）を取り除き、例えば、電源ケーブル挿通用竪孔１２に取外した電源ケーブル１４を挿通し、該電源ケーブル１４の分割心芯線１５・・１５と、モータ側の引出線１６・・１６と、制御基板３からの引出線１０・・１０をそれぞれ所定通りに接続した状態により、取付アーム４の取付座５を水中ポンプ上面１ｂに当接させ、取付ボルト挿通孔１３・・１３より取付ボルト１７・・１７を挿通させて締着することにより、水位検出用ユニットの装着された自動式の水中ポンプが構成されることになる。水位検出用ユニットにおける電極棒９の導下本数について限定はない。図６に示すよう２本の電極棒の一方をベース電極９ｂとして他方を検知電極９ｓとする標準的な態様のほか、図７に示すよう電極棒は１本としてこの１本を検知電極９ｓとしポンプ本体をベース電極９ｂとしてもよく、また、図８に示すよう長さの異なる複数本の電極棒をそれぞれ検知電極９ｓ・・９ｓとして多点水位の検出を行わせることも可能である。
【実施例２】
【００１０】
ケース２内において制御基板３と接続された電極棒９に半導体接点８を面接触状態により接合させる。電極棒９の形状は、丸棒状、角棒状、平板状、パイプ状、或いはコイルスプリング状その他任意の形状とすることができる。しかし、導電性および熱伝導性を良好にするため、半導体接点８との接合は面接触状態とし、更にリベットやビス止め等により接合面を締着させることが望ましい。従って、電極棒９が丸棒状の場合にはその外周面の所要箇所に、いわゆるＤカットを施して半導体接点８と面接触状態に接合させることになる。
【図面の簡単な説明】
【００１１】
【図１】本発明水位検出ユニットを装着してなる自動式水中ポンプの要部縦断側面図である。
【図２】本発明水位検出ユニットの外観側面図である。
【図３】本発明水位検出ユニットの縦断側面図である。
【図４】図２のＡ−Ａ線における縦断正面図である。
【図５】図２のＢ−Ｂ線における縦断底面図である。
【図６】本発明水位検出ユニットにおける電極棒の導下態様を例示した説明図であって、２本の電極棒の一方をベース電極とし他方を検知電極とした事例を示す。
【図７】本発明水位検出ユニットにおける電極棒の導下態様を例示した説明図であって、ポンプ本体をベース電極とし１本の電極棒を検知電極とした事例を示す。
【図８】本発明水位検出ユニットにおける電極棒の導下態様を例示した説明図であって、長さの異なる複数本の電極棒により多点水位の検出を行わせようとする事例を示す。
【符号の説明】
【００１２】
１ａ    水中ポンプ外胴
１ｂ    水中ポンプ上面
２      ケース
３      制御基板
４      アーム
５      取付座
６      電線引出口
７      貫孔
８      半導体接点
９      電極棒
１０      制御基板からの引出線
１１      空隙部
【図１】
2006057571.tif 000003
【図２】
2006057571.tif 000004
【図３】
2006057571.tif 000005
【図４】
2006057571.tif 000006
【図５】
2006057571.tif 000007
【図６】
2006057571.tif 000008
【図７】
2006057571.tif 000009
【図８】
2006057571.tif 000010